(57)【要約】【課題】電子機器の携帯性を向上させる。【解決手段】メモリカード６を装着可能な第１のスロット７と、第２のスロット８とを備える。信号処理部２４は、第１のスロット７及び第２のスロット８のうち一方に装着されたメモリカード６に記憶されているプログラムを実行しながら、他方に装着されたメモリカード６に記憶されているデータに従って動作する。また、外筐体の対向する側面に一対のバンドを具備し、バンドを腕に巻回することによって一対のバンドがリング状に連結されることで、腕に装着される。【選択図】  図４
2004317879.tif 000002
【特許請求の範囲】
【請求項１】
記憶装置を着脱自在に装着する複数の記憶装置装着部と、
上記複数の記憶装置装着部に装着された上記記憶装置に記憶されているデータを読み出し、読み出したデータに従って各部を制御する制御部とを備え、
上記制御部は、上記複数の記憶装置装着部のうち１つの記憶装置装着部に所定の機能を実行するためのプログラムが記憶された記憶装置が装着されたときには、上記プログラムに基づいて所定の機能を実行しながら、他の記憶装置装着部に装着された記憶装置に記憶されているデータを再生すること
を特徴とするデータ再生装置。
【請求項２】
上記制御部は、上記再生されたデータに基づいて、各部を制御すること
を特徴とする請求項１記載のデータ再生装置。
【請求項３】
上記複数の記憶装置装着部と、上記制御部とは、携帯可能な形状に形成されている外筐体に備えられていること
を特徴とする請求項１記載のデータ再生装置。
【請求項４】
上記外筐体は、身体に装着可能な形状に形成されていること
を特徴とする請求項３記載のデータ再生装置。
【請求項５】
上記外筐体の両端には、１対のバンドが備えられていること
を特徴とする請求項４記載のデータ再生装置。
【請求項６】
上記外筐体の一端には、紐が取り付けられていること
を特徴とする請求項４記載のデータ再生装置。
【請求項７】
上記記憶装置は、半導体記憶装置であること
を特徴とする請求項１記載のデータ再生装置。
【請求項８】
上記プログラムは、アプリケーションプログラムであること
を特徴とする請求項１記載のデータ再生装置。
【請求項９】
上記プログラムを記憶した記憶装置は、
Ｂｌｕｅｔｏｏｔｈ方式に基づいてデータを送受信するＢｌｕｅｔｏｏｔｈ送受信手段と、
Ｂｌｕｅｔｏｏｔｈ方式で受信されたデータをデコードするとともに、Ｂｌｕｅｔｏｏｔｈ方式で送信するデータをエンコードするデータ処理手段とを備えること
を特徴とする請求項１記載のデータ再生装置。
【請求項１０】
上記プログラムを記憶した記憶装置は、
グローバルポジショニングシステムに基づいてＧＰＳ信号を受信するＧＰＳ信号受信手段と、
上記ＧＰＳ信号からＧＰＳ受信データを生成するＧＰＳ受信データ生成手段とを備えること
を特徴とする請求項１記載のデータ再生装置。
【請求項１１】
上記プログラムを記憶した記憶装置は、
被写体の光学像を電気信号に変換する撮像手段と、
上記電気信号をデジタル信号に変換するアナログデジタル変換手段と、
上記デジタル信号から画像データを生成する画像データ生成手段とを備えること
を特徴とする請求項１記載のデータ再生装置。
【請求項１２】
上記プログラムを記憶した記憶装置は、
指の凹凸を読み取り、画像データを生成する指紋読み取り手段と、
上記画像データの認証処理をする認証処理手段とを備えること
を特徴とする請求項１記載のデータ再生装置。
【請求項１３】
上記制御部による制御に基づいて、画像を表示する表示部を備えること
を特徴とする請求項１記載のデータ再生装置。
【請求項１４】
上記制御部による制御に基づいて、音声を出力する音声出力部を備えること
を特徴とする請求項１記載のデータ再生装置。
【発明の詳細な説明】
【０００１】
【発明の属する技術分野】
本発明は、複数の記憶装置を装着可能な記憶装置装着部が備えられたデータ再生装置に関する。
【０００２】
【従来の技術】
従来、例えば音声データ再生装置、ゲーム機、画像表示装置やデジタルカメラなど、いろいろな種類の携帯可能な電子機器（以下、携帯型電子機器という。）が開発されている（例えば、特許文献１）。これらの携帯型電子機器は、音声を放音するスピーカ、画像を表示する表示部、当該携帯型電子機器を操作する操作部、各部を制御する制御部、記憶装置を装着する装着部などが、携帯可能な形状に形成された筐体の中に備えられている。
【０００３】
これらの携帯型電子機器は、鞄などの中に収納したり、身体に装着して持ち運ぶことが容易であるため、ユーザは、これらの携帯型電子機器を持ち運び、任意の場所で使用することが容易となる。また、これらの携帯型電子機器は、移動しながら使用することも容易であるため、ユーザは、これらの携帯型電子機器を携帯することによって、例えば、歩きながら音楽を聴くことや、車の中でゲームを行うことなどを容易に実現することが可能となる。
【０００４】
【特許文献１】
特開２００２―５８０８８号公報
【０００５】
【発明が解決しようとする課題】
以上説明した携帯型電子機器の普及や多様化に伴い、近年では、ユーザは、複数の携帯型電子機器を購入している。また、例えば音声再生装置とゲーム機とを携帯して移動するなど、複数の携帯型電子機器を携帯した状態で移動している。
【０００６】
しかしながら、ユーザが多数の携帯型電子機器を購入すると、費用が嵩み負担が大きくなったり、管理が煩雑になるなどの不都合が生じる虞がある。また、ユーザが多数の携帯型電子機器を一度に持ち運ぶと、嵩張るために携帯型電子機器の携帯性が損なわれてしまう。すなわち、携帯型電子機器であるにも拘わらず、携帯が困難となる。
【０００７】
本発明は、以上説明した従来の実状を鑑みて提案されたものであり、複数の機能を実現することが可能で、且つ携帯性に優れたデータ再生装置を提供することを目的とする。
【０００８】
【課題を解決するための手段】
本発明に係るデータ再生装置は、記憶装置を着脱自在に装着する複数の記憶装置装着部と、上記複数の記憶装置装着部に装着された上記記憶装置に記憶されているデータを読み出し、読み出したデータに従って各部を制御する制御部とを備え、上記制御部は、上記複数の記憶装置装着部のうち１つの記憶装置装着部に所定の機能を実行するためのプログラムが記憶された記憶装置が装着されたときには、上記プログラムに基づいて所定の機能を実行しながら、他の記憶装置装着部に装着された記憶装置に記憶されているデータを再生することを特徴とする。
【０００９】
【発明の実施の形態】
以下、本発明の実施の形態について、図面を参照しながら詳細に説明する。
【００１０】
図１に示すように、本発明を適用したデータ再生装置１は、外観が所謂腕時計の形状とされている。具体的に説明すると、データ再生装置１は、身体に装着可能な形状に形成された外筐体２を備えている。外筐体２は、例えば腕時計の筐体と略同等の大きさに形成されている。外筐体２における対向する２つの端面には、それぞれ１対のバンド３ａ，３ｂの一端が接続している。また、バンド３ａの他端には、固定部３ｃが設けられている。データ再生装置１は、バンド３ａ，３ｂを腕に巻回してバンド３ｂの他端を固定部３ｃに挿入し、固定部３ｃがバンド３ｂの他端を固定することにより、バンド３ａとバンド３ｂとがリング状に連結され、腕に装着される。
【００１１】
外筐体２の表面には、画像を表示する表示部４と、音声を放音するスピーカ５とが設けられている。
【００１２】
また、外筐体２には、図２及び図３に示すように、メモリカード６を装着可能な第１のスロット７と、第２のスロット８と、データ再生装置１の動作を制御するために操作する操作ボタン９と、ヘッドフォンを接続可能なヘッドフォン出力端子１０と、ＵＳＢ（Ｕｎｉｖｅｒｓａｌ  Ｓｅｒｉａｌ  Ｂｕｓ）ケーブルを接続可能なＵＳＢ端子１１と、外部機器との間で音声データや画像データの送受信を行うＡＶ出力端子１２とが設けられる。本実施の形態では、図２に示すように、外筐体２におけるバンド３ａ，３ｂが接続していない端面の一方に第１のスロット７と、第２のスロット８とが設けられており、図３に示すように、外筐体２におけるバンド３ａ，３ｂが接続していない端面の他方に、操作ボタン９と、ヘッドフォン出力端子１０と、ＵＳＢ端子１１と、ＡＶ出力端子１２とが設けられている。
【００１３】
また、図４に示すように、データ再生装置１は、第１のスロット７に接続された第１のインターフェイス（以下、Ｉ／Ｆという。）２１と、第２のスロット８に接続された第２のＩ／Ｆ２２と、各部を動作させる電源となるバッテリー２３と、表示部４、スピーカ５、操作ボタン９、ヘッドフォン出力端子１０、ＵＳＢ端子１１、ＡＶ出力端子１２、第１のＩ／Ｆ２１、第２のＩ／Ｆ２２から供給された信号を処理し、各部を制御する信号処理部２４とを備える。
【００１４】
表示部４は、信号処理部２４から供給された画像データに基づいた画像を表示する。
【００１５】
スピーカ５は、信号処理部２４から供給された音声データに基づいた音声を放音する。
【００１６】
第１のスロット７及び第２のスロット８は、メモリカード６を装着する。第１のスロット７にメモリカード６が装着されると、メモリカード６に記憶されているデータは第１のＩ／Ｆ２１を介して信号処理部２４によって読み出され、第２のスロット８にメモリカード６が装着されると、メモリカード６に記憶されているデータは第２のＩ／Ｆ２２を介して信号処理部２４によって読み出される。
【００１７】
操作ボタン９は、例えば表示部４に表示する画像を選択したり、メモリカードに記憶されているデータをダウンロードする旨を決定するなど、データ再生装置１の動作を制御するために操作される。本実施の形態では、操作ボタン９は、図３中矢印Ａで示すように、バンド３ａ，３ｂが伸延している方向に回動可能とされており、また、外筐体２の端面に対して垂直な方向に押圧可能とされている。例えば、操作ボタン９によって表示部４に表示する画像を選択する設定とされているときには、ユーザは、操作ボタン９を回動させることによって表示部４に表示する画像を変更し、所望の画像が表示されたときに操作ボタン９を押圧することによって、表示部４に表示する画像を選択できる。
【００１８】
信号処理部２４は、操作ボタン９が操作されることによって指定された動作を判断して各部を制御する。また、第１のスロット７及び第２のスロット８に装着されているメモリカード６に記憶されているデータを読み出して処理する。なお、信号処理部２４の動作については、詳細を後述する。
【００１９】
メモリカード６は、例えばメモリスティック（商標）など、いわゆるＳＳＦＤＣ（Ｓｏｌｉｄ  Ｓｔａｔｅ  Ｆｌｅｘｉｂｌｅ  Ｄｉｓｋ  Ｃａｒｄ）と略称されるフラッシュＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）を用いた半導体メモリである。
【００２０】
本発明を適用したデータ再生装置１では、メモリカード６として、ストレージとして使用されるストレージ用メモリカードの他に、所謂Ｉ／Ｏ拡張モジュールと称される機能拡張メモリカードや、例えばゲーム用アプリケーションプログラムなどのアプリケーションプログラムが記録されているアプリケーションメモリカードなどが使用できる。
【００２１】
ここで、機能拡張メモリカードについて説明する。機能拡張メモリカードとしては、具体的には、図５に示すように、Ｂｌｕｅｔｏｏｔｈ方式に従ってデータを送受信できるＢｌｕｅｔｏｏｔｈメモリカード６ａ、図６に示すように、所謂デジタルカメラの機能を備えるデジタルカメラメモリカード６ｂ、図７に示すように、グローバルポジショニングシステム（Ｇｌｏｂａｌ  Ｐｏｓｉｔｉｏｎｉｎｇ  Ｓｙｓｔｅｍ；以下、ＧＰＳという。）に基づいてＧＰＳ信号を受信できるＧＰＳメモリカード６ｃ、図８に示すように、指紋照合機能を備える指紋照合メモリカード６ｄが挙げられる。なお、以下では、Ｂｌｕｅｔｏｏｔｈメモリカード６ａ、デジタルカメラメモリカード６ｂ、ＧＰＳメモリカード６ｃ、指紋照合メモリカード６ｄを総称するときには、機能拡張メモリカード６ａ〜６ｄという。
【００２２】
図５に示すように、Ｂｌｕｅｔｏｏｔｈメモリカード６ａは、外部の電子機器との間でＢｌｕｅｔｏｏｔｈ方式に従ったデータの送受信を行うアンテナ３１と、アンテナ３１が受信したデータのデコード及びアンテナ３１から送信するデータのエンコードを行うＢｌｕｅｔｏｏｔｈ信号処理部３２と、Ｂｌｕｅｔｏｏｔｈメモリカード６ａとデータ再生装置１との間での相互通信に必要なドライバソフトウェアが記憶されているＲＯＭ（Ｒｅａｄ  Ｏｎｌｙ  Ｍｅｍｏｒｙ）３３と、データ再生装置１から出力されたデータをＢｌｕｅｔｏｏｔｈ信号処理部３２やＲＯＭ３３へ供給すると共に、Ｂｌｕｅｔｏｏｔｈ信号処理部３２でデコードされたデータやＲＯＭ３３から読み出されたデータをデータ再生装置１へ供給するＩ／Ｆ３４とを備える。
【００２３】
また、図６に示すように、デジタルカメラメモリカード６ｂは、被写体の光学像を電気信号に変換する撮像部４１と、撮像部４１から出力された電気信号をアナログ信号に変換するＡ／Ｄ変換部４２と、Ａ／Ｄ変換部４２によって生成されたデジタル信号をデジタル演算し、例えばＲ信号、Ｇ信号、Ｂ信号からなる画像データを生成する画像処理部４３と、画像処理部４３によって生成された画像データを一時的に記憶するＲＡＭ（Ｒａｎｄｏｍ  Ａｃｃｅｓｓ  Ｍｅｍｏｒｙ）４４と、デジタルカメラメモリカード６ｂとデータ再生装置１との間での相互通信に必要なドライバソフトウェアが記憶されているＲＯＭ４５と、データ再生装置１から出力されたデータをＲＡＭ４４やＲＯＭ４５に供給するとともに、ＲＡＭ４４から読み出された画像データやＲＯＭ４５から読み出されたデータをデータ再生装置１へ供給するＩ／Ｆ４６とを備える。
【００２４】
また、図７に示すように、ＧＰＳメモリカード６ｃは、ＧＰＳ信号を受信するアンテナ５１と、受信したＧＰＳ信号から例えばＧＰＳメモリカード６ｃの位置やアンテナ５１がＧＰＳ信号を受信した時刻などのＧＰＳ受信データを生成するＧＰＳ信号処理部５２と、ＧＰＳメモリカード６ｃが電子機器に挿入されていないときにＧＰＳ受信データによって得られた時刻に基づいた正確な時刻を維持するクロック５３と、ＧＰＳメモリカード６ｃが電子機器に挿入されていないときにクロック５３に電力を供給する内部バッテリー５４と、ＧＰＳメモリカード６ｃとデータ再生装置１との間での相互通信に必要なドライバソフトウェアが記憶されているＲＯＭ５５と、データ再生装置１から出力されたデータをＧＰＳ信号処理部５２やＲＯＭ５５に供給するとともに、ＧＰＳ信号処理部５２によって生成されたＧＰＳ受信データやＲＯＭ５５から読み出されたデータをデータ再生装置１に供給するＩ／Ｆ５６とを備える。
【００２５】
また、図８に示すように、指紋照合メモリカード６ｄは、例えば静電容量に基づいて指の凹凸を読み取り指紋画像データを生成する指紋読み取りセンサ６１と、指紋照合の際に基準となるデータ（以下、テンプレートデータという。）が記憶されているテンプレートデータ記憶部６２と、指紋読み取りセンサ６１から指紋画像データが供給されるとテンプレートデータ記憶部６２からテンプレートデータを読み出して指紋照合を行うとともに、指紋画像データから特徴部分を読み出してテンプレートデータを作成し、テンプレートデータ記憶部６２に対して記録する指紋照合部６３と、指紋照合メモリカード６ｄとデータ再生装置１との間での相互通信に必要なドライバソフトウェアが記憶されているＲＯＭ６４と、データ再生装置１から出力されたデータを指紋照合部６３やＲＯＭ６４へ供給するとともに、指紋照合部６３から供給されるデータやＲＯＭ６４から読み出されたデータをデータ再生装置１へ供給するＩ／Ｆ６５とを備える。
【００２６】
つぎに、信号処理部２４について詳細に説明する。
【００２７】
信号処理部２４は、第１のスロット７や第２のスロット８に音声データが記憶されているストレージ用メモリカードが装着されたときには、ストレージ用メモリカードに記憶されている音声データを読み出してデコードし、スピーカ５、ヘッドフォン出力端子１０、ＵＳＢ端子１１、ＡＶ出力端子１２に供給する。
【００２８】
また、信号処理部２４は、ＵＳＢ端子１１、ＡＶ出力端子１２を介して供給された音声データをエンコードし、スピーカ５やヘッドフォン出力端子１０に供給したり、第１のスロット７や第２のスロット８に装着されているストレージ用メモリカードに記録する。
【００２９】
また、信号処理部２４は、第１のスロット７や第２のスロット８に画像データが記憶されているストレージ用メモリカードが装着されたときには、ストレージ用メモリカードに記憶されている画像データを読み出してデコードし、表示部４、ＵＳＢ端子１１、ＡＶ出力端子１２に供給する。
【００３０】
また、信号処理部２４は、ＵＳＢ端子１１、ＡＶ出力端子１２を介して供給された画像データをエンコードし、表示部４に供給したり、第１のスロット７や第２のスロット８に装着されているストレージ用メモリカードに記録する。
【００３１】
また、信号処理部２４は、第１のスロット７及び第２のスロット８の両方にストレージ用メモリカードが装着されたときには、両方のストレージ用メモリカードに記憶されているデータを連続してデコードしたり、一方のストレージ用メモリカードに記憶されているデータを他方のストレージ用メモリカードに記録するマルチ機能を実行する。
【００３２】
また、信号処理部２４は、第１のスロット７や第２のスロット８にアプリケーションメモリカードが装着されたときには、アプリケーションメモリカードに記憶されているアプリケーションプログラムをダウンロードして起動する。
【００３３】
また、信号処理部２４は、第１のスロット７や第２のスロット８に機能拡張メモリカード６ａ〜６ｄが装着されたときには、各機能拡張メモリカード６ａ〜６ｄのＲＯＭ３３，４５，５５，６４に記憶されているドライバソフトウェアがダウンロードされているか否かを判断し、ダウンロードされていないときにはダウンロードする。
【００３４】
以下では、信号処理部２４の動作について、図９に示すフローチャートを用いて説明する。
【００３５】
先ず、ステップＳＴ１で、信号処理部２４は、第１のスロット７又は第２のスロット８の一方に、アプリケーションメモリカードが装着されているか否かを確認する。アプリケーションメモリカードが装着されているときにはステップＳＴ２に進み、アプリケーションメモリカードが装着されていないときにはステップＳＴ１０に進む。
【００３６】
次に、ステップＳＴ２では、信号処理部２４は、アプリケーションプログラムをダウンロードして起動する。
【００３７】
次に、ステップＳＴ３では、信号処理部２４は、第１のスロット７又は第２のスロット８の他方に、機能拡張メモリカード６ａ〜６ｄが装着されているか否かを確認する。機能拡張メモリカード６ａ〜６ｄが装着されているときにはステップＳＴ４に進み、機能拡張メモリカード６ａ〜６ｄが装着されていないときにはステップＳＴ７に進む。
【００３８】
次に、ステップＳＴ４では、信号処理部２４は、ドライバソフトウェアがダウンロードされているか否かを確認する。ドライバソフトウェアがダウンロードされていないときにはＳＴ５に進み、ドライバソフトウェアがダウンロードされているときにはＳＴ６に進む。
【００３９】
ステップＳＴ５では、信号処理部２４は、ＲＯＭ３３，４５，５５，６４などに記憶されているドライバソフトウェアをダウンロードする。そして、ステップＳＴ６に進む。
【００４０】
そして、ステップＳＴ６で、データ再生装置１に対して、機能拡張メモリカード６ａ〜６ｄに備えられている機能が追加される。そして、信号処理部２４は動作を終了する。
【００４１】
また、ステップＳＴ７では、信号処理部２４は、第１のスロット７又は第２のスロット８の他方に、ストレージ用メモリカードが装着されているか否かを判断する。ストレージ用メモリカードが装着されているときにはステップＳＴ８に進み、ストレージ用メモリカードが装着されていないときには動作を終了する。
【００４２】
ステップＳＴ８では、信号処理部２４は、ストレージ用メモリカードに記録されたデータを再生しながらアプリケーションプログラムを実行する。そして、信号処理部２４は動作を終了する。
【００４３】
また、ステップＳＴ１０では、第１のスロット７又は第２のスロット８の一方に、機能拡張メモリカード６ａ〜６ｄが装着されているか否かを確認する。機能拡張メモリカード６ａ〜６ｄが装着されているときにはステップＳＴ１１に進み、機能拡張メモリカード６ａ〜６ｄが装着されていないときにはステップＳＴ２０に進む。
【００４４】
次に、ステップＳＴ１１では、信号処理部２４は、ドライバソフトウェアがダウンロードされているか否かを確認する。ドライバソフトウェアがダウンロードされていないときにはＳＴ１２に進み、ドライバソフトウェアがダウンロードされているときにはＳＴ１３に進む。
【００４５】
ステップＳＴ１２では、信号処理部２４は、ＲＯＭ３３，４５，５５，６４に記憶されているドライバソフトウェアをダウンロードする。そして、ステップＳＴ１３に進む。
【００４６】
ステップＳＴ１３では、データ再生装置１に対して、機能拡張メモリカード６ａ〜６ｄに備えられている機能が追加される。
【００４７】
次に、ステップＳＴ１４では、信号処理部２４は、第１のスロット７又は第２のスロット８の他方に、ストレージ用メモリカードが装着されているか否かを確認する。ストレージ用メモリカードが装着されているときにはステップＳＴ１５に進み、ストレージ用メモリカードが装着されていないときには、動作を終了する。
【００４８】
次に，ステップＳＴ１５では、信号処理部２４は、ストレージ用メモリカードに記憶されているデータを再生しながら、第１のスロット７又は第２のスロット８の一方に装着されている機能拡張メモリカード６ａ〜６ｄに備えられている機能を実行する。データの再生が終了すると、信号処理部２４は、動作を終了する。
【００４９】
また、ステップＳＴ２０では、信号処理部２４は、第１のスロット７又は第２のスロット８の一方に、ストレージ用メモリカードが装着されているか否かを確認する。ストレージ用メモリカードが装着されているときにはステップＳＴ２１に進み、ストレージ用メモリカードが装着されていないときには、動作を終了する。
【００５０】
次に、ステップＳＴ２１で、信号処理部２４は、第１のスロット７又は第２のスロット８の他方に、ストレージ用メモリカードが装着されているか否かを確認する。ストレージ用メモリカードが装着されているときにはステップＳＴ２２に進み、ストレージ用メモリカードが装着されていないときには、ステップＳＴ２３に進む。
【００５１】
次に、ステップＳＴ２２では、信号処理部２４は、マルチ機能を実行した
後に、動作を終了する。
【００５２】
また、ステップＳＴ２３では、信号処理部２４は、ストレージ用メモリカードに記憶されている音声データ及び画像データに基づいて音声や画像を再生したり、ＵＳＢ端子１１及びＡＶ出力端子１２を介して供給された音声データ及び画像データをストレージ用メモリカードに記録した後に、動作を終了する。
【００５３】
つぎに、データ記憶装置１の動作について説明する。以下では、第１のスロット７にＢｌｕｅｔｏｏｔｈメモリカード６ａが装着され、第２のスロット８に音声データが記憶されたストレージ用メモリカード（以下、音声記憶メモリカードという。）が装着された場合を例に挙げて説明する。
【００５４】
なお、第１のスロット７にＢｌｕｅｔｏｏｔｈメモリカード６ａが装着され、第２のスロット８に音声記憶メモリカードが装着されたときには、データ再生装置１は、図１０に示すようなワイヤレスヘッドフォン８０に対して音声データを送信することが可能となる。また、ワイヤレスヘッドフォン８０は、データ再生装置１から送信された音声データに基づいて、音声を放音することが可能となる。
【００５５】
ワイヤレスヘッドフォン８０は、データ再生装置１から送信された信号を受信するアンテナ８１と、アンテナ８１が受信した信号をデコードするＢｌｕｅｔｏｏｔｈ信号処理部８２と、Ｂｌｕｅｔｏｏｔｈ信号処理部８２でデコードされた信号を増幅するアンプ８３と、アンプ８３によって増幅された信号に基づいた音声を放音するスピーカ８４と、各部を動作させる電源となるバッテリー８５とを備えている。
【００５６】
ワイヤレスヘッドフォン８０を使用することにより、ユーザは、コードを介してデータ再生装置１と接続するヘッドフォンを使用することなく音声を聴くことが可能となるため、例えばコードが絡まるなど、コードによって生じる煩わしさを感じることなく、快適にデータ再生装置１を使用することが可能となる。
【００５７】
先ず、信号処理部２４は、第１のスロット７にＢｌｕｅｔｏｏｔｈメモリカード６ａが装着されていることを認識し、ＲＯＭ３３に記憶されているドライバソフトウェアがダウンロードされているか否かを確認する。そして、ドライバソフトウェアがダウンロードされていないときには、ドライバソフトウェアをダウンロードする。
【００５８】
次に、信号処理部２４は、第２のスロット８に音声記憶メモリカードが装着されていることを認識する。そして、音声記憶メモリカードに記憶されている音声データを、第２のＩ／Ｆ２２を介して読み出す。
【００５９】
次に、信号処理部２４は、読み出した音声データを、第１のＩ／Ｆ２１を介してＢｌｕｅｔｏｏｔｈメモリカード６ａに送信する。Ｂｌｕｅｔｏｏｔｈメモリカード６ａでは、第１のＩ／Ｆ２１を介して送信された音声データを、Ｉ／Ｆ３４を介してＢｌｕｅｔｏｏｔｈ信号処理部３２に供給する。
【００６０】
次に、Ｂｌｕｅｔｏｏｔｈ信号処理部３２は、データ再生装置１からＩ／Ｆ３４を介して供給された音声データを変調する。詳述すると、Ｂｌｕｅｔｏｏｔｈ信号処理部３２は、音声データに対してＧＦＳＫ（Ｇａｕｓｓｉａｎ  Ｆｒｅｑｕｅｎｃｙ  Ｓｈｉｆｔ  Ｋｅｙｉｎｇ）方式による一次変調を施した後に、周波数ホッピング方式による拡散変調を施す。そして、Ｂｌｕｅｔｏｏｔｈ信号処理部３２は、デコードにより得られた信号を増幅する。
【００６１】
次に、アンテナ３１は、Ｂｌｕｅｔｏｏｔｈ信号処理部３２から供給された信号を、電波として放射する。
【００６２】
次に、アンテナ８１が、アンテナ３１から放射された信号を受信して、Ｂｌｕｔｏｏｔｈ信号処理部８２に供給する。
【００６３】
次に、Ｂｌｕｔｏｏｔｈ信号処理部８２は、アンテナ８１から供給された信号に対して逆拡散変調処理を施した後にデコード処理を施すことで、音声データを生成する。
【００６４】
次に、アンプ８３が、Ｂｌｕｅｔｏｏｔｈ信号処理部８２によって生成された音声データを、増幅してスピーカ８４に供給する。
【００６５】
最後に、スピーカ８４が、アンプ８３から供給された音声データに基づいて音声を放音する。スピーカ８４が音声を放音することにより、ユーザは、音声を聞くことができる。
【００６６】
なお、第１のスロット７及び第２のスロット８に装着するメモリカード６の組み合わせの他の例としては、ＧＰＳメモリカード６ｃと地図データが記憶されているストレージ用メモリカードとの組み合わせなどが挙げられる。ＧＰＳメモリカード６ｃと地図データが記憶されているストレージ用メモリカードとの組み合わせることにより、データ再生装置１は、地図データを再生しながらＧＰＳ信号を受信し、ＧＰＳ信号からＧＰＳメモリカード６ｃの位置を判断して、判断した位置を再生した地図上に示すことで、ナビゲーションを行うことが可能となる。また、ゲーム用アプリケーションが記憶されているアプリケーションメモリカードとゲームコンテンツが記憶されているストレージ用メモリカードとの組み合わせなども挙げられる。
【００６７】
以上説明したように、本発明を適用したデータ再生装置１は、第１のスロット７と、第２のスロット８とを備えており、信号処理部２４は、第１のスロット７及び第２のスロット８のうち一方に装着されたメモリカード６に記憶されているプログラムを実行しながら、他方に装着されたメモリカード６に記憶されているデータに従って動作する。
【００６８】
すなわち、本発明を適用したデータ再生装置１は、第１のスロット７及び第２のスロット８に装着するメモリカード６を変えることで、多様な機能を実現することが可能となる。
【００６９】
したがって、本発明を適用したデータ再生装置１によれば、ユーザは、多様な機能を利用するために多数の電子機器を所有する必要がなくなり、多数の電子機器を管理したり、多数の電子機器を持ち歩く煩雑さを回避することが可能となる。また、多数の電子機器を購入することによる負担を低減させることも可能となる。
【００７０】
また、本発明を適用したデータ再生装置１は、外筐体２の対向する２つの側面に、それぞれ１対のバンド３ａ，３ｂが具備されており、バンド３ａ，３ｂを腕に巻回してバンド３ｂの他端を固定部３ｃに挿入し、バンド３ｂの他端を固定することにより、バンド３ａとバンド３ｂとがリング状に連結され、腕に装着される。
【００７１】
したがって、本発明を適用したデータ再生装置１は、体に装着することが可能であり、携帯性に優れたものとなる。
【００７２】
なお、データ再生装置１を身体に装着する方法は、外筐体２の対向する２つの側面にそれぞれ１対のバンド３ａ，３ｂを具備し、腕に巻回してバンド３ｂの他端を固定部３ｃに挿入し、バンド３ｂの他端を固定する方法に限定されない。例えば、図１１に示すように、外筐体２の一旦に紐装着部９１を設けて紐装着部９１に紐９２を取り付け、首からぶら下げることによって体に装着可能な構成としても良い。
【００７３】
【発明の効果】
本発明に係るデータ再生装置は、記憶装置を装着可能な記憶装置装着部を複数備えており、制御部は、複数の記憶装置装着部のうち１つの記憶装置装着部に所定の機能を実行するためのプログラムが記憶された記憶装置が装着されたときには、上記プログラムに基づいて上記所定の機能を実行しながら、他の記憶装置に記憶されているデータに基づいて動作する。
【００７４】
すなわち、本発明に係るデータ再生装置は、記憶装置装着部に装着する記憶装置を変えることで、多様な機能を実現することが可能となる。
【００７５】
したがって、本発明に係るデータ再生装置によれば、ユーザは、多数の電子機器を所有することなく多様な機能を利用することが可能となるため、多数の電子機器を管理したり、多数の電子機器を持ち歩く煩雑さを回避することが可能となる。また、多数の電子機器を購入することによる負担を低減させることも可能となる。
【図面の簡単な説明】
【図１】本発明を適用したデータ再生装置の外観を示す正面図である。
【図２】同データ再生装置の外観を示す側面図であり、バンドが接続していない端面の一方から見た側面図である。
【図３】同データ再生装置の外観を示す側面図であり、バンドが接続していない端面の他方から見た側面図である。
【図４】同データ再生装置を示すブロック構成図である。
【図５】Ｂｌｕｅｔｏｏｔｈ方式での通信機能を備えるメモリカードのブロック図である。
【図６】デジタルカメラ機能を備えるメモリカードのブロック図である。
【図７】ＧＰＳ信号を受信してＧＰＳデータを生成する機能を備えるメモリカードのブロック図である。
【図８】指紋照合機能を備えるメモリカードのブロック図である。
【図９】本発明を適用したデータ再生装置に備えられる信号処理部の動作を示すブロック図である。
【図１０】本発明を適用したデータ再生装置にＢｌｕｅｔｏｏｔｈメモリカードと音声記憶メモリカードとが装着されたときに、Ｂｌｕｅｔｏｏｔｈメモリカードから音声データを受信してデコードするワイヤレスヘッドフォンを示すブロック図である。
【図１１】本発明を適用した他のデータ再生装置の外観を示す正面図である。
【符号の説明】
１  データ再生装置、４  表示部、５  スピーカ、６  メモリカード、７  第１のスロット、８  第２のスロット、９  操作ボタン、１０  ヘッドフォン出力端子、１１  ＵＳＢ端子、１２  ＡＶ入出力端子、２１  第１のＩ／Ｆ、２２  第２のＩ／Ｆ、２３  バッテリー、２４  信号処理部
【図１】
2004317879.tif 000003
【図２】
2004317879.tif 000004
【図３】
2004317879.tif 000005
【図４】
2004317879.tif 000006
【図５】
2004317879.tif 000007
【図６】
2004317879.tif 000008
【図７】
2004317879.tif 000009
【図８】
2004317879.tif 000010
【図９】
2004317879.tif 000011
【図１０】
2004317879.tif 000012
【図１１】
2004317879.tif 000013